(57)【要約】【課題】  部品数が少なく工場製作が容易で、軽量で建方などの現場施工が容易で、しかも耐震性が非常に高く大きな開口部を確保することができる木造建物および開口部付き枠組壁を提供する。【解決手段】  複数の枠組壁１、開口部付き枠組壁２および枠組床４を釘と接合金物にによって組み立て、木造の建物を構築する。開口部付き枠組壁２は、開口部２ａと当該開口部２ａの両側に位置する側壁部２ｂ，２ｂと開口部２ａの上側に位置する上壁部２ｃとから構成する。上壁部２ｃは壁上枠２ｈと当該壁上枠２ｈの下側に位置する開口部上枠２ｉと、当該壁上枠２ｈおよび開口部上枠２ｉの側面部に釘打ちされた面材２ｇとから構成する。壁上枠２ｈは形鋼材２ｋと当該形鋼材２ｋの端部に取り付けられた木製継手ブロック２ｌとから形成する。当該木製継手ブロック２ｌは側壁部２ｂに釘打ちまたはねじ打ちによって剛接合する。【選択図】                  図１
2006336410.tif 000002
【特許請求の範囲】
【請求項１】
複数の木材からなる枠組に面材を取り付けて構成された複数の枠組壁、開口部付き枠組壁および枠組床からなる木造建物において、前記開口部付き枠組壁は、開口部と当該開口部の両側に位置する側壁部または縦枠と前記開口部の上側に位置する上壁部とから構成され、前記上壁部は壁上枠と当該壁上枠の下側に位置する開口部上枠と、当該壁上枠よび開口部上枠に取り付けられた面材とから構成され、前記壁上枠は形鋼材と当該鋼材に取り付けられた木製継手ブロックとから形成され、当該木製継手ブロックは前記側壁部または縦枠に曲げ応力を伝達可能に接合されてなることを特徴とする木造建物。
【請求項２】
形鋼材に軽量Ｈ形鋼が用いられていることを特徴とする請求項１記載の木造建物。
【請求項３】
木造建物の壁として用いられる開口部付き枠組壁であり、開口部と当該開口部の両側に位置する側壁部または縦枠と前記開口部の上側に位置する上壁部とから構成され、前記上壁部は壁上枠と当該壁上枠の下側に位置する開口部上枠と、当該壁上枠よび開口部上枠に取り付けられた面材とから構成され、前記壁上枠は形鋼材と当該形鋼材に取り付けられた木製継手ブロックとから形成され、当該木製継手ブロックは前記側壁部または縦枠に曲げ応力を伝達可能に接合されてなることを特徴とする開口部付き枠組壁。
【発明の詳細な説明】
【技術分野】
【０００１】
本発明は、複数の木材からなる枠組に構造用合板などの面材を釘打ちして構成された複数の枠組壁、開口部付き枠組壁および枠組床からなる枠組壁工法による木造建物および当該木造建物に用いられる開口部付き枠組壁に関するものである。
【背景技術】
【０００２】
主に、木造住宅などの木造建物の構築工法として知られる枠組壁工法は、複数の木材からなる枠組に構造用合板またはこれに準ずる面材を釘打ちして構成された複数の枠組壁、開口部付き枠組壁および枠組床を、くぎと金物によって組み立て建物を構築する方法である。
【０００３】
図６と図７は、枠組壁工法による木造建物の従来例を示し、ここで用いられる枠組壁２０は、上枠２０ａおよび下枠２０ｂとこの上枠２０ａと下枠２０ｂとの間に建て付けられた複数の縦枠２０ｃとから枠組２０ｄを形成し、この枠組２０ｄに構造用合板などの面材２０ｅを釘打ちして構成されている。
【０００４】
また、枠組床２１は並列に所定間隔おきに配置された複数の根太２１ａとこの根太２１ａの両端部にそれぞれ架け渡された端根太２１ｂとを枠組し、その上面側に面材２１ｃを釘打ちして構成されている。
【０００５】
また特に、出入り口や窓などの開口部を有する位置には開口部付き枠組壁２２が用いられ、この場合の開口部付き枠組壁２２は、枠組の上枠２２ａおよび開口部２２ｂの上枠となるまぐさ２２ｃと当該上枠２２ａおよびまぐさ２２ｃの両端を支持するとともに、開口部２２ｂの左右縦枠となるまぐさ受け２２ｄ，２２ｄとを門型状に枠組し、さらに上枠２２ａとまぐさ２２ｃとの間に上階からの鉛直荷重をまぐさ２２ｃに伝達させるべく、複数の束材２２ｅを取り付け、これに面材２２ｆを釘打ちすることにより構成されている。
【０００６】
そして、枠組壁２０は同一鉛直面内に互いに隣接して建て付けられ、また同一鉛直面内に建て付けられた複数の枠組壁２０は所定間隔をおいて平行に対向して建て付けられ、さらに対向する枠組壁２０，２０の端部間にこれと直角に開口部付き枠組壁２２が建て付けられている。
【０００７】
これら複数の枠組壁２０，２０どうし、および枠組壁２０と開口部付き枠組壁２２どうしは釘と接合金物（図省略）によって一体的に接合され、特にこれら枠組壁の上端部はこれらの上端部に連続して架け渡された頭繋ぎ２３によって一体的に接合され、こうして各面の壁構面が構成されている。
【０００８】
また、対向する枠組壁２０，２０の上端部間に複数の枠組床２１が枠組壁２０の連続方向に互いに隣接して架け渡され、各枠組床２１どうしは釘と接合金物（図省略）によって一体的に接合され、また各枠組床２１は枠組壁２０と開
口部付き枠組壁２２の上端部に釘と接合金物（図省略）によって一体的に接合されている。
【特許文献１】特許公開２００２−３３９５０３号公報
【特許文献２】特許公開２００１−３４８８７９
【特許文献３】特許公開２００１−３４８８７９
【発明の開示】
【発明が解決しようとする課題】
【０００９】
従来の枠組壁工法による木造建物は、以上説明したように構築されているが、特に開口部付き枠組壁２２は、壁上枠２２ａとまぐさ２２ｃとの間に複数の束材２２ｆが取り付けられていること等もあって部品数が多く、工場製作に非常に多くの手間を要する等の製作上の課題があった。
【００１０】
また、まぐさ２２ｃとしてかなり大きな断面の木材を用いる必要があり、そのため開口部付き枠組壁の重量が嵩み、工事現場にて建方が困難になる等の施工上の課題もあった。
【００１１】
さらに、開口部２２ｂの位置には、強度上非常に有効な縦枠と面材が取り付けられないため、かなりの強度低下をまぬがれず、そのため別に耐力壁を設ける等の強度向上の措置を取らなければ、必要な開口幅を自由にとれない等の強度上および設計上の課題もあった。
【００１２】
なお、特許文献１には、まぐさ梁そのものを組み立てる手間を無くすことにより、製作コストを安価に抑え、構造体への取り付けも容易にできる施工性のよい金属製まぐさ梁とそれを含む構造体に関する技術が開示されている。
【００１３】
また、特許文献２には、スチールハウスの利点を生かすと共に欠点を補うことで建物の開口上部のまぐさを無くし、まぐさの加工手間と開口部高さの制約から解放した低層建物の枠組構造に関する技術が開示されている。
【００１４】
しかしながら、これらの従来技術は、冷延鋼板の溝形成形部材をドリルねじによって組み立てるスチールハウスに関する技術であり、主として木材を釘打ちして組み立てる従来の枠組壁工法住宅の開口壁に、これらの従来技術を適用し、上記の製作上の課題を解決することは困難である。また、これらの従来発明は、開口部付き壁を耐力壁とすることによって、上記の設計上の制約を解決することを目的としたものではない。
【００１５】
本発明は、以上の課題を解決するためになされたもので、部品数が少なく工場製作が容易で、軽量で建方などの現場施工が容易で、しかも耐震性が高く大きな開口部を確保することが可能な木造建物および開口部付き枠組壁を提供することを目的とする。
【課題を解決するための手段】
【００１６】
請求項１記載の枠組壁工法による木造建物は、複数の木材からなる枠組に面材を取り付けて構成された複数の枠組壁、開口部付き枠組壁および枠組床からなる木造建物において、前記開口部付き枠組壁は、開口部と当該開口部の両側に位置する側壁部または縦枠と前記開口部の上側に位置する上壁部とから構成され、前記上壁部は壁上枠と当該壁上枠の下側に位置する開口部上枠と、当該壁上枠よび開口部上枠に取り付けられた面材とから構成され、前記壁上枠は形鋼材と当該鋼材に取り付けられた木製継手ブロックとから形成され、当該木製継手ブロックは前記側壁部または縦枠に曲げ応力を伝達可能に接合されてなることを特徴とするものである。
【００１７】
本発明は特に、開口部付き枠組壁の開口部の上側に位置する上壁部の壁上枠を形鋼材と当該形鋼材の両端部に取り付けられた木製継手ブロックとから形成し、当該木製継手ブロックを開口部の両側に位置する側壁部または縦枠に曲げ応力を伝達可能に接合することで、これまでの開口部付き枠組壁の設計上、構造上、施工上および枠組壁の製作上の課題を解消したものである。
【００１８】
すなわち、開口部の上側に位置する壁上枠として形鋼材を用い、当該形鋼材の両端部に取り付けられた木製継手ブロックを開口部の両側に位置する側壁部または縦枠に、例えば釘打ちまたはねじ打ちして剛接合とすることにより、上壁部と左右の側壁部または縦枠との接合部を曲げ応力を伝達可能な一体の耐震壁構造としたものである。
【００１９】
こうすることで、壁上枠としての形鋼材の塑性変形によって地震エネルギーを吸収する構造の開口耐力壁となるため、一定量以上の耐力壁を確保する必要があるために、開口幅が十分に取れない場合が多いという、枠組壁工法による従来の木造建物の開口壁の構造上および設計上の問題を解消することができる。
【００２０】
また、壁上枠としての形鋼材の存在により、壁上枠の下側に位置する開口部上枠は、鉛直荷重を受けないため、従来の開口壁のまぐさに比べてかなり小断面のものを用いることができ、また両端は側壁部または縦枠に簡単な方法で接合するだけでよく、しかも従来の開口壁には必要とされたまぐさ受けや束材も不用なために部品数もかなり少なくすることができるため、
かなりの軽量化により工事現場にて建方がし易くなり施工上の課題を解決することができ、また工場製作にも手間を要さず、製作上の課題も解決することができる。
【００２１】
請求項２記載の木造建物は、請求項１記載の木造建物において、形鋼材に軽量Ｈ形鋼が用いられてなることを特徴とするものである。形鋼材に軽量Ｈ形鋼を用いることでかなりの軽量化を図ることができ、また、その両端部に木製継手ブロックが取り付けられていることで、壁上枠の両端部を側壁部または縦枠に釘打ちまたはねじ打ちすることにより簡単に剛接合することができる。
【００２２】
請求項３記載の開口部付き枠組壁は、複数の木材からなる枠組に面材を取り付けて構成される開口部付き枠組壁であり、開口部と当該開口部の両側に位置する側壁部または縦枠と前記開口部の上側に位置する上壁部とから構成され、前記上壁部は壁上枠と当該壁上枠の下側に位置する開口部上枠と、当該壁上枠よび開口部上枠に取り付けられた面材とから構成され、前記壁上枠は形鋼材と当該鋼材に取り付けられた木製継手ブロックとから形成され、当該木製継手ブロックは前記側壁部に曲げ応力を伝達可能に接合されてなることを特徴とするものである。
【００２３】
なお、壁上枠と側壁部または縦枠との接合部は、木製継手ブロックを側壁部または縦枠に釘打ちまたはねじ打ちすることにより曲げ応力を伝達可能な剛接合とすることができる。
【発明の効果】
【００２４】
本発明は特に、開口部付き枠組壁の開口部の上側に位置する上壁部の壁上枠を形鋼材と当該形鋼材に取り付けられた木製継手ブロックとから形成し、当該木製継手ブロックを開口部の両側に位置する側壁部または縦枠に釘打ちまたはねじ打ちして曲げ応力を伝達可能な状態に接合されていることで、耐震性が非常に大きく、かなり大きな開口部を確保することができる。
【００２５】
また、壁上枠としての形鋼材の存在により、壁上枠の下側に位置する開口部上枠は、鉛直荷重を受けないため、従来の開口壁のまぐさに比べてかなり小断面のものを用いることができ、また両端は側壁部または縦枠に簡単な方法で接合するだけでよく、しかも従来の開口壁には必要とされたまぐさ受けや束材も不用なたことから部品数もかなり少なくすることができるため、軽量化により工事現場にて建方がし易くなり、また工場製作にも手間を要さず、製作も容易である。
【発明を実施するための最良の形態】
【００２６】
図１〜図３は、枠組壁工法による木造建物の一例を示し、図において、複数の枠組壁１が同一鉛直面内に互いに隣接して建て付けられ、また同一鉛直面内に建て付けられた複数の枠組壁１からなる壁構面が所定間隔をおいて平行に対向して建て付けられ、さらに対向する壁構面の枠組壁１，１の端部間にこれと直角に開口部付き枠組壁２が建て付けられている。
【００２７】
これら複数の枠組壁１，１どうし、および枠組壁１と開口部付き枠組壁２どうしは釘と接合金物（図省略）によって一体的に接合され、特にこれら枠組壁の上端部はこれらの上端部に連続して架け渡された頭繋ぎ３によって一体的に接合され、こうして各面の壁構面が構成されている。
【００２８】
また、対向する枠組壁１，１の上端部間に複数の枠組床４が枠組壁１の連続方向に互いに隣接して架け渡され、各枠組床４どうしは釘と接合金物（図省略）によって一体的に接合され、また各枠組床４は枠組壁１と開口部付き枠組壁２の上端部に釘と接合金物（図省略）によって一体的に接合されている。こうして床構面が形成されている。
【００２９】
枠組壁１は矩形状に枠組された枠組１ａの側面に面材１ｂを釘打ちすることにより形成され、枠組１ａは上枠１ｃおよび下枠１ｄとこの上枠１ｃと下枠１ｄ間に所定間隔おきに建て付けられた複数の縦枠１ｅを格子枠状に枠組することにより形成されている。なお、上枠１ｃ、下枠１ｄおよび縦枠１ｅには木材が用いられ、面材１ｂには構造用合板が用いられている。
【００３０】
開口部付き枠組壁２は、開口部２ａと当該開口部２ａの両側と上側にそれぞれ位置する側壁部２ｂ，２ｂと上壁部２ｃとから形成されている。
【００３１】
側壁部２ｂは上枠２ｄおよび下枠２ｅとこの上枠２ｄと下枠２ｅの端部間に建て付けられた複数の縦枠２ｆ，２ｆを矩形状に枠組し、当該枠組の側面に面材２ｇを釘打ちすることにより形成されている。なお、上枠２ｄは上壁部２ｃの壁上枠２ｈ（後述する）の端部が延長した部分から形成され、また下枠２ｅと縦枠２ｆは木材から、面材２ｇは構造用合板からそれぞれ形成されている。
【００３２】
上壁部２ｃは、側壁部２ｂ，２ｂの上端部間に架け渡された壁上枠２ｈとその下側に架け渡された開口部上枠２ｉと当該壁上枠２ｈと開口部上枠２ｉ間の側面に釘打ちされた面材２ｊとから形成されている。
【００３３】
特に壁上枠２ｈは、図３（ａ），（ｂ）に図示するように、軽量Ｈ形鋼からなる形鋼材２ｋと当該形鋼材２ｋの両端部にそれぞれ取り付けられた複数の木製継手ブロック２ｌとから形成され、形鋼材２ｋの両端は左右側壁部２ｂ，２ｂの外側に位置する縦枠２ｆの上端部まで延長されている。
【００３４】
木製継手ブロック２ｌは、側壁部２ｂの各縦枠２ｆ，２ｆの材軸の延長線上に位置し、形鋼材２ｋの上下フランジ２ｍ，２ｍ間に嵌合するとともに、木製継手２ｌの上側から形鋼材２ｋのウェブ２ｎに釘打ちまたはねじ打ちすることにより形鋼材２ｋに一体的に取り付けられている。なお、木製継手ブロック２ｌは形鋼材２ｋのウェブ２ｎの両側に対称に取り付けられている。
【００３５】
また、側壁部２ｂの各縦枠２ｆと木製継手ブロック２ｌの上側に継手金物５が添え付けられ、当該継手金物５の上側から木製継手２ｌと縦枠２ｆにそれぞれ釘打ちまたはねじ打ちすることによって、上壁部２ｃの壁上枠２ｈと側壁部２ｂ，２ｂの縦枠２ｆ，２ｆ、すなわち上壁部２ｃと左右の側壁部２ｂ，２ｂが木製継手２ｌを介して曲げ応力を伝達可能な剛接合状態に接合されている。左右の側壁部２ｂ，２ｂと上壁部２ｃがこのように剛接合されていることで、壁上枠２ｈ、すなわち形鋼材２ｋの塑性変形によって地震エネルギーを吸収することができる。
【００３６】
図３および図４は、枠組壁工法による木造建物の他の例を示し、特に開口部付き枠組壁２は開口部２ａの両側に図１および２で説明した側壁部２ｂ，２ｂの代わりにやや幅広な縦枠２ｆ，２ｆをそれぞれ配置して形成されている。この開口部付き枠組壁を用いれば、さらに大きな開口部２ａを確保することができる。なお、縦枠２ｆには面材２ｂがそれぞれ釘打ちされている。
【００３７】
なお、いずれの例においても、枠組床４は、枠組壁１の連続方向に並列に所定間隔おきに配置された複数の根太４ａとこの根太４ａの両端部にそれぞれ架け渡された端根太４ｂとを枠組し、その上面側に面材４ｃを釘打ちして構成されている。
【産業上の利用可能性】
【００３８】
本発明は、部材の工場製作と現場施工がともに容易であり、しかも高い耐震性を有するため、大きな開口部を有する木造建物を構築することができ、枠組壁工法による木造建物に大きく寄与することができる。
【図面の簡単な説明】
【００３９】
【図１】(ａ)，(ｂ)は、枠組壁工法によって構築された木造住宅の各部材の位置関係を示す一部分解斜視図である。
【図２】(ａ)，(ｂ)は、枠組壁工法によって構築された木造住宅の各部材の位置関係を示す一部分解斜視図である。
【図３】開口部付き枠組壁の構造を示し、(ａ)は側壁部と上壁部の接合部の一部破段斜視図、(ｂ)はその一部縦断面図である。
【図４】(ａ)，(ｂ)は、枠組壁工法によって構築された木造住宅の各部材の位置関係を示す一部分解斜視図である。
【図５】(ａ)，(ｂ)は、枠組壁工法によって構築された木造住宅の各部材の位置関係を示す一部分解斜視図である。
【図６】(ａ)，(ｂ)は、枠組壁工法によって構築された従来の木造住宅の各部材の位置関係を示す一部分解斜視図である。
【図７】(ａ)，(ｂ)は、枠組壁工法によって構築された従来の木造住宅の各部材の位置関係を示す一部分解斜視図である。
【符号の説明】
【００４０】
１  枠組壁
１ａ  枠組
１ｂ  面材
１ｃ  上枠
１ｄ  下枠
１ｅ  縦枠
２  開口部付き枠組壁
２ａ  開口部
２ｂ  側壁部
２ｃ  上壁部
２ｄ  上枠
２ｅ  下枠
２ｆ  縦枠
２ｇ  面材
２ｈ  壁上枠
２ｉ  開口部下枠
２ｊ  面材
３  頭つなぎ
４  枠組床
４ａ  根太
４ｂ  端根太
４ｃ  面材
５  継手金物
【図１】
2006336410.tif 000003
【図２】
2006336410.tif 000004
【図３】
2006336410.tif 000005
【図４】
2006336410.tif 000006
【図５】
2006336410.tif 000007
【図６】
2006336410.tif 000008
【図７】
2006336410.tif 000009